(57)【要約】      （修正有）【課題】電気コンポネート間のインターフェースを供給し、さらに電気通信データ信号および／または電力用の電気導通通路と実現する電気カードエッジコネクタを提供する。【解決手段】カードエッジコネクタは、ハウジング本体を有しているハウジング、およびハウジング本体によって伴なわれた複数の電気コンタクトを有している。前記電気コンタクトは、複数の電気信号コンタクトおよび複数の電力コンタクトを有する。前記電気信号コンタクトは、電力コンタクトよりも薄く寸法取りされている。前記カードエッジコネクタは、前記電気信号コンタクトに隣接する位置で、前記ハウジング本体の唯一の側面壁から外方に延びるマウンティングファスナを有する。【選択図】図２Ａ
0003169821.tif 000002
【実用新案登録請求の範囲】
【請求項１】
第１のマウンティング開口を有する第１の基板を受けるように構成されたカードエッジコネクタであって：
前述のものは下記を有する：
複数の電気コンタクトを伴ない、この電気コンタクトは電気的に第１の基板に接続されるように構成され、マウンティング端を画定し、さらに電気的に第２の基板に接続されるように構成された対向された結合端を具備するハウジング本体を有するコネクタハウジング；
前記ハウジング本体から外方に延び、前記第１の基板に対して前記ハウジング本体を固定するように前記第１のマウンティング開口と係合するように構成されたマウンティングファスナ；
および、ハウジング本体内に形成され、前記カードエッジコネクタが第１の基板にマウントされるときに、前記第１の基板をガイドするように第１の基板の側面エッジを受けるように構成されたマウンティングガイド。
【請求項２】
前記マウンティングファスナは、カードエッジコネクタの唯一のマウンティングファスナである請求項１記載のカードエッジコネクタ。
【請求項３】
前記ハウジング本体は、マウンティング端と結合する端との間に配置される第１および第２の対向する側面壁を画定し、さらに、前記マウンティングファスナは、第１および第２の対向する側面壁の一方から延びて、第１と第２との対向する側面壁の他方からは延びない請求項２記載のカードエッジコネクタ。
【請求項４】
複数の前記電気コンタクト、信号コンタクトを有し、複数の前記電力コンタクトを有する請求項１記載のカードエッジコネクタ。
【請求項５】
前記信号コンタクトは、それぞれ、前記電力コンタクトのそれ未満の厚さを有する請求項４記載のカードエッジコネクタ。
【請求項６】
前記マウンティングファスナは、前記電力コンタクトよりも前記信号コンタクトに接近して配置される請求項５記載のカードエッジコネクタ。
【請求項７】
前記マウンティングファスナは、前記カードエッジコネクタの唯一のマウンティングファスナであり、さらに、このマウンティングファスナは、前記ハウジング本体のサイド壁から延びる請求項５記載のカードエッジコネクタ。
【請求項８】
前記マウンティングファスナは、前記第１のマウンティング開口を備えた整列して置かれるように構成され、前記第２のマウンティング開口を画定し、さらに、前記第１の基板に対してカードエッジコネクタをマウントするように第１および第２のマウンティング開口を介して延びるように、取付部材が構成される請求項１記載のカードエッジコネクタ。
【請求項９】
前記マウンティングファスナは、前記第１のマウンティング開口に延びるラッチ部材を、さらに有する請求項８記載のカードエッジコネクタ。
【請求項１０】
第１のマウンティング開口を有する第１の基板を受けるように構成されたカードエッジコネクタであって、
前記カードエッジコネクタは、下記を有する：
複数の電気コンタクトを伴ない、前記第１の基板にマウントするように構成されるマウンティングインターフェースと、第２の基板と結合するように構成される結合するインターフェースとを画定し、この結合するインターフェースとマウンティングインターフェースとの間に延びる第１のサイド壁を画定するハウジング本体を有し、また第１のサイド壁に対向する第２のサイド壁であって、この第２のサイド壁は、結合するインターフェースとマウンティングインターフェースとの間に延びるコネクタハウジング、
および、第２のサイド壁よりも第１のサイド壁により接近して配置され、第１の基板とカードエッジコネクタとの間の相対的運動に関して第１の基板に対してカードエッジコネクタを固定するように構成され、カードエッジコネクタより第１のサイド壁に接近して配置し、このカードエッジコネクタは、第１のサイド壁より第２のサイド壁に接近して配置され、第２のマウンティングファスナが欠けているマウンティングファスナ。
【請求項１１】
前記マウンティングファスナがマウンティング開口と係合するときに、前記第１の基板の側面エッジを受けるように構成されたマウンティングガイドをさらに有する請求項１０記載のカードエッジコネクタ。
【請求項１２】
前記マウンティングガイドは、前記第２のサイド壁によって画定されたチャネルを有する請求項１１記載のカードエッジコネクタ。
【請求項１３】
前記電気コンタクトは、複数の前記電気信号コンタクトおよび複数の前記電力コンタクトを有する請求項１０記載のカードエッジコネクタ。
【請求項１４】
前記電気信号コンタクトは、前記電力コンタクトよりも薄く、さらに、前記第１のサイド壁は、前記電力コンタクトよりも前記電気信号コンタクトに接近して間隔をおいて配置される請求項１３記載のカードエッジコネクタ。
【請求項１５】
前記マウンティングファスナは、前記第１のマウンティング開口に延びる前記ラッチ部材をさらに有する請求項１０記載のカードエッジコネクタ。
【請求項１６】
前記第１のマウンティング開口を有する第１の基板を受けるように構成されたカードエッジコネクタであって、
前記カードエッジコネクタは下記を有する：
複数の電気信号コンタクト、および複数の電力コンタクトであって、前記電気信号コンタクトは、前記電力コンタクト、第１の基板に電気信号コンタクト、および電力コンタクトが第１の基板に接合されるようなものをマウントするように構成され、マウンティングインターフェースを画定するコネクタハウジング、および移動できるように第２の基板で結合するように構成され、結合するインターフェースより薄いものを伴なうコネクタハウジング；
前記マウンティングファスナは、前記電力コンタクトより前記電気信号コンタクトであって、第１の基板に電気コネクタを固定にするようにマウンティング開口と係合するように構成されたマウンティングファスナに接近して配置し、前記電気信号コンタクトよりも電力コンタクトに接近して配置されるマウンティングファスナ。
【請求項１７】
前記コネクタハウジングは第１および第２の対向するサイド壁を有し、前記マウンティングファスナは、前記サイド壁のうちの１つに隣接して配置され、さらに他のサイド壁には、前記カードエッジコネクタが前記第１の基板にマウントされるときに第１の基板の側面エッジを受けるように構成された前記マウンティングガイドを伴なう請求項１６記載のカードエッジコネクタ。
【請求項１８】
前記マウンティングファスナは、さらに前記第１のマウンティング開口内に延びるラッチ部材を有する請求項１６記載のカードエッジコネクタ。
【考案の詳細な説明】
【技術分野】
【０００１】
電気コネクタ組立体は、一般に電気コネクタによって一緒に接続される１つまたはそれ以上の回路基板上の回路およびコンポーネントを有する。
【０００２】
電気コネクタ組立体における電気コンポーネントの例は、ドータボード、マザーボード、バックプレーンボード、中央平面ボード、または同種のものを有することができる。電気コネクタは、電気コンポーネント間のインターフェースを提供し、さらに電気通信データ信号および／または電力用の電気導通通路を供給する。
【背景技術】
【０００３】
図１を参照して、例えば、一例の従来の電気組立体２０は、第１の回路基板２４と第２の回路基板２６との間を接続しているカードエッジコネクタ２２を有する。カードエッジコネクタ２２は、第１のプリント配線回路用基板２４のエッジのトレースと第２のプリント配線回路用基板２６のエッジのトレースとの間の電気導通通路を備える、跨ぐマウントスタイルのカードエッジコネクタとして例証され、これは第１のプリント配線回路用基板２４を備えたコプラナであるように例証される。そのような配位は、１Ｕラックマウントサーバのような包囲物内における電気組立体用に好適であることができる。
【０００４】
カードエッジコネクタ２２は、複数の電気コンタクト３０を伴なうハウジング本体２９を有するコネクタハウジング２８を有し、それは電気信号コンタクト３２と電力コンタクト３４とを有することができる。カードエッジコネクタ２２は、第１のプリント配線回路用基板２４のエッジを受けるマウンティングインターフェース３８と、第２のプリント配線回路用基板２６を受ける結合するインターフェース３６とを画定する。第１のプリント配線回路用基板２４は、第１のプリント配線回路用基板２４がカードエッジコネクタ２２に結合されるときに、カードエッジコネクタ２２の電気コンタクト３０に接続される複数の電気コンタクトパッド４０を有する。その後、電気コンタクト３０および電気コンタクトパッド４０は、カードエッジコネクタ２２の電気コンタクト３０と第１のプリント配線回路用基板２４との間の恒久の電気接続を確立するために典型的にはんだ接合される。
【０００５】
第２のプリント配線回路用基板２６の電気コンタクトパッド４２が、電気コンタクト３０とコンタクトされるように、第２のプリント配線回路用基板２６は、エッジカードコネクタ２２の結合するインターフェース３８内に挿入することができ、それによって第１のプリント配線回路用基板２４とカードエッジコネクタの電気コンタクト３０とのトレース間の電気接続を確立する。理解すべきことは、カードエッジコネクタ２２を、電気通信において第１および第２の回路基板２６を配置するように、第１および第２の回路基板２４および２６に電気的に接続することができる。第２のプリント配線回路用基板２６は、カードエッジコネクタ２２の結合するインターフェース３８から取り除いて、結合するインターフェース３８に再挿入することができ、あるいは、他の回路基板は望ましくは結合するインターフェース３８内に挿入することができる。この点では、第１のプリント配線回路用基板２４は、ホストボードと呼ぶことができ、さらに、第２のプリント配線回路用基板２６は、ホストボードとの取外し可能な電気通信に採用することができるエッジカードと呼ぶことができる。
【０００６】
カードエッジコネクタ２２は、ハウジング本体２９の対向側面から外に延び、さらに、電気コンタクト３０が電気コンタクト４０に接して置かれるときに、第１のプリント配線回路用基板２４上の対応する開口と整列して置かれる開口を与える１対のマウンティング耳部４４を有する。整列した開口は、カードエッジコネクタ２２と第１のプリント配線回路用基板２４との間の安全な物理的接続を提供するように、ねじ、ナット、およびその他同種のもののようなハードウェア４６を受けるように構成される。したがって、電気コンタクト３０と電気コンタクトパッド４０との間の接続によって吸収される第２のプリント配線回路用基板からのカードエッジコネクタ２２に加えられた応力は、第２のプリント配線回路用基板２６がカードエッジコネクタ２２に結合されるときに、カードエッジコネクタ２２と第１のプリント配線回路用基板２４との間の確実な物理的接続に少なくとも部分的に吸収される。残念ながら、マウンティング耳部４４は、第１のプリント配線回路用基板２４上の価値のある領域を占有する。
【考案の概要】
【０００７】
１つの実施例にしたがって、カードエッジコネクタは、第１のマウンティング開口を有する第１の基板を受けるように構成される。カードエッジコネクタは、複数の電気コンタクトを伴なうハウジング本体を有するコネクタハウジングを有する。電気コンタクトは、第１の基板に電気的に接続されるように構成されたマウンティング端部を画定し、さらに第２の基板に電気的に接続されるように構成された対向する結合端部を画定する。コネクタは、さらにハウジング本体から外に延びるマウンティングファスナを有し、このマウンティングファスナは、第１のマウンティング開口と係合するように構成されている。カードエッジコネクタは、さらにハウジング本体中に形成されたマウンティングガイドを有し、このマウンティングガイドは、カードエッジコネクタが第１の基板にマウントされるときに、第１の基板の側エッジ面を受けるように構成されている。
【０００８】
先の概要は、付随した図面と共に読まれたときに、この出願の一実施例の以下の詳述と同様に、一層よく理解されよう。この出願の柔軟な固着キールおよび関連の器具を例証する目的のために、図面において一実施例が示される。しかしながら、この出願は、図示された正確な配置や手段に限定されないことが理解されるに違いない。図面の説明は以下のとおりである：
【図面の簡単な説明】
【０００９】
【図１】１対の回路基板間で接続している従来の跨ぐマウントカードエッジコネクタの斜視図；
【図２Ａ】第１の回路基板、第２の回路基板、および第１および第２の回路基板間で接続している電気コネクタを有する電気コネクタ組立体であって、この電気コネクタは、マウンティングファスナを有する斜視図；
【図２Ｂ】図２Ａにおいて例証されるような電気コネクタ組立体の分解斜視図；
【図３】図２において例証された電気コネクタの最下段正面斜視図；
【図４】図２において例証された電気コネクタの頂部後面斜視図；
【図５】図２において例証された電気コネクタの正面立面図；
【図６】図２において例証された電気コネクタの後部立面図；
【図７】図２において例証された電気コネクタの平面図；
【図８】図２において例証された電気コネクタの底面図；
【図９Ａ】図２において例証された電気コネクタの側面図；
【図９Ｂ】図２において例証された電気コネクタの側面図；
【図１０】図２Ａにおいて例証され、プリント配線回路用基板にマウントされるために整列した電気コネクタを示して、他の実施例にしたがって構築されたマウンティングファスナを有するような電気コネクタの部分の斜視図
【考案を実施するための形態】
【００１０】
図２Ａ−Ｂを参照して、電気コネクタ組立体５０は、それぞれ第２のプリント配線回路用基板５４を備えた電気通信に第１のプリント配線回路用基板５２を採用するように、第１のプリント配線回路用基板（ＰＣＢ）５２のような第１の基板、および第２のプリント配線回路用基板（ＰＣＢ）５４のような第２の基板、および、第１および第２の基板５２および５４の間で電気的に接続されるように構成された電気コネクタ５６を有する。電気コネクタ５６は、カードエッジコネクタとして例証され、より詳細に下に記述されるように１つの実施例にしたがって跨ぐマウントコネクタとして構成することができる。
【００１１】
電気コネクタ５６は、高温熱可塑性物のようなプラスチックを有する任意の適切な誘電材料で作ることができる誘電体、または電気的に絶縁性のコネクタハウジング５８を有する。このコネクタハウジング５８は、第１および第２の回路基板５２および５４上で補完的な電気的トレースと係合するように構成された１つまたはそれ以上の電気コンタクト６０を伴なうハウジング本体５９をそれぞれ有している。特に、コネクタハウジング５８は、縦方向Ｌに沿って分離された、マウンティングインターフェース６２および結合するインターフェース６４を画定する。マウンティングインターフェース６２は、電気的、かつ物理的に、第１のプリント配線回路用基板５２に接続するように構成され、また、結合するインターフェース６４は、電気的かつ物理的に、第２のプリント配線回路用基板５４に接続するように構成される。電気コンタクト６０は、電気コネクタ５６が第１のプリント配線回路用基板５２にマウントされるときに、第１のプリント配線回路用基板５２に電気的に接続するようにマウンティングインターフェース６２と結合するインターフェース６４との間に延びることができ、電気コネクタ５６が第２のプリント配線回路用基板５４に結合するときに、第２のプリント配線回路用基板５４に接続する。１つの実施例にしたがって、マウンティングインターフェース６２は、電気コネクタ５６が第１のプリント配線回路用基板５２にマウントされるときに、それによって、電気コンタクト６０が第１のプリント配線回路用基板５２に跨るマウントインターフェースとし構成することができる。したがって、コネクタハウジング５８は、例証された実施例にしたがって跨るマウント（straddle-mount）カードエッジハウジングと呼ぶことができる。電気コネクタ５６は、カードエッジコネクタと呼ぶことができ、特に跨るマウントコネクタと呼ぶことができる。
【００１２】
今度は、図３−４を参照して、ハウジング本体５９は、縦方向Ｌに沿った前方エッジ部６６から一定間隔で配置された前方エッジ部６６および後方エッジ６８を画定する。前方エッジ部６６は、結合するインターフェース６４に近接して配置され、さらに後方エッジ６８は、マウンティングインターフェース６２に近接して配置される。ハウジング本体５９は、さらに、縦方向Ｌにほぼ垂直な横方向Ａにおいて延びる横方向に沿った第１のサイド壁７０から分離さられた第１のサイド壁７０および対向する第２のサイド壁７１を画定する。
【００１３】
第１および第２のサイド壁７０および７１は、結合するインターフェース６４とマウンティングインターフェース６２の間に延びる。ハウジング本体５９は、横方向Ａに沿って細長く、さらに、電気コンタクト６０の個々のものは、横方向Ａに沿って間隔をもって配置される。ハウジング本体５９は、さらに上部エッジ７２、および縦方向Ｌおよび横方向Ａの両方にほぼ垂直である横断方向Ｔに沿った上部エッジ７２から間隔をもって配置される対向する下部エッジ７４を画定する。縦方向および横方向のＬおよびＡは、それぞれ、水平に延び、さらに、電気コネクタ５６の方位が操作中に変わり得ることがあることは認識されるべきであるが、縦方向Ｔは、例証されるように、垂直に延びる。
【００１４】
さらに図５において例証されるように、コネクタハウジング５８は、ハウジング本体５９によって画定されるチャンバ７６を有する。電気コンタクト６０は、その電気コンタクト６０がチャンバ７６内に少なくとも部分的に配置されるように、ハウジング５８によって伴なわれる。このチャンバ７６は、結合するインターフェース６４に対して開放することができ、電気コネクタ５６を第２のプリント配線回路用基板５４に対して結合するように、第２のプリント配線回路用基板５４を受けるように構成することができる。チャンバ７６は、開放され、またはマウンティングインターフェース６２に対しては閉じることができる。例えば、ハウジング本体５９は、マウンティングインターフェース６２で部分的にチャンバ７６を閉じる後部壁７８を有することができる。ハウジング本体５９は、後部壁７８を通って延びる複数の開口８０を画定することができ、それは、電気コンタクト６０が、開口８０のそれぞれのものを介して延びるようなものである。
【００１５】
電気コンタクト６０は、銅合金のような、望ましくは任意の適切な電気導電材料で作ることができる。電気コンタクト６０は、第１および第２の基板５２および５４の間の電気通信またはデータ信号を送信するために寸法取りされ、かつ構成される複数の電気信号コンタクト６１、さらに第１および第２の基板５２および５４の間で、ＤＣ、およびまたはＡＣ交流電源のような送信電力に寸法取りされ構成される複数の電力コンタクト６３を有することができる。
【００１６】
したがって、電力コンタクト６３は、電気信号コンタクト６１より大きく、ＤＣおよび／または交流電源を支持するように、寸法取りすることができる。
【００１７】
例えば、電力コンタクト６３は、電気信号コンタクト６１より大きな厚さ（例えば、１方、または横方向および縦方向の両方向に）を有することができる。図示された実施例にしたがって、電気コンタクト６０は、電気信号コンタクト６１が横方向に電力コンタクト６３に隣接して配置されるように配列することができる。例えば、電気信号コンタクト６１は、例証されるような第１のサイド壁７０のようなハウジング本体５９のサイド壁の１つに近傍に配置することができる。電気信号コンタクト６１の個々のものは、電気信号コンタクト６１が、第１のサイド壁７０から第２のサイド壁７１に向かって横方向に内部に配列されるように、横方向に間隔を置くことができる。電力コンタクト６３は、電気信号コンタクト６１に隣接するサイド壁に関してサイド壁の対向する一方に隣接して配置することができる。
【００１８】
例証された実施例にしたがって、電力コンタクト６３は、第２のサイド壁７１に隣接して、配置される。電力コンタクト６３の個々のものは、電力コンタクト６３が第１のサイド壁７０に向かって第２のサイド壁７１から内部に横方向に配列されるように、横方向に間隔を置くことができる。
【００１９】
図２Ａ−４および図７−８を参照して、コネクタハウジング５８は、ハウジング本体５９の上部、および下部端部７４および７２を介して横方向に延びる開口６５および６７の第１および第２の横方向の列のような開口の少なくとも１つの外側の列を有することができる。開口６５の第１列は、結合するインターフェース６４に近接して配置することができ、さらに開口６７の第２列は、マウンティングインターフェース６２に近接して配置することができる。開口６５の第１列は、コネクタハウジング５８からの熱の散逸を促進するように電力コンタクト６３と整列することができる。電力が、電気コネクタ組立体５０の操作中に電力コンタクト６３に沿って送信されながら、熱が生成される。
【００２０】
電気コネクタ５８は、開口６７の第２列のそれぞれのもの内に延びて、電力コンタクト６３をラッチし、コネクタハウジング５８内に電力コンタクト６３を確実にすることにおいて補助するように構成されるタブ６９を有する。
【００２１】
電気信号コンタクト６１および電力コンタクト６３を有する電気コンタクト６０の各々は、それぞれのマウンティング端部８２、およびマウンティング端部８２から縦方向に間隔を置く対向する結合する端部８４を画定することができる。マウンティング端部８２は、電気コネクタ５６が第１のプリント配線回路用基板５２にマウントされるときに、第１のプリント配線回路用基板５２のコンタクトパッド８６に電気的に接続するように、効果的にマウンティングインターフェース６２と協働する。その結合する端部８４は、電気コネクタ５６が第２のプリント配線回路用基板５４にマウントされるときに、第２のプリント配線回路用基板５４の導体パッド８８に電気的に接続するように、効果的に結合するインターフェース６２と協働する。したがって、電気コネクタ５６が、第１および第２の回路基板５２および５４にそれぞれ取り付けられているときに、それぞれ電気的に導通通路が、第１のプリント配線回路用基板５２における電気接触パッド８６と、それぞれの電気コンタクト６０を介して、第２のプリント配線回路用基板５４におけるそれぞれの電気的接触パッド８８とのそれぞれの電気コンタクトから、およびその間で確立することができる。
【００２２】
第１および第２の回路基板５２および５４は、各々、さらにそれぞれの電気コンタクトパッド８６および８８に電気的に接続される電気トレースを伴なう。
【００２３】
電気コンタクトパッド８６は、配置される。第１のプリント配線回路用基板５２のリーディングエッジ９０に近接して配置され、さらに電気コンタクトパッド８８は、第２のプリント配線回路用基板５４のリーディングエッジ９１に近接して配置される。電気コネクタ２２が第１のプリント配線回路用基板５２上にマウントされるときに、ハウジング本体５９のサイド壁７０は、第１のプリント配線回路用基板５２のリーディングエッジ９０に関してほぼ垂直の方向に延びるように、例証される。
【００２４】
同様に、電気コネクタ２２が第２のプリント配線回路用基板５４に連れ添う場合、ハウジング本体５９のサイド壁７０は、第２のプリント配線回路用基板５４のリーディングエッジ９１に関してほぼ垂直の方向に延びるように、例証される。
【００２５】
その電気信号コンタクト６１および電気電力コンタクト６３を有する電気コンタクト６０の結合する端部８４は、例えばチャンバ７６のハウジング本体５９内に伴なわれることができ、第２のプリント配線回路用基板５４が、電気コネクタ５６と第２のプリント配線回路用基板５４とを結合するように結合するインターフェース６４のチャンバ７６内に挿入されるときに、第２のプリント配線回路用基板５４のリーディングエッジにまたがるように構成されるそれぞれ横方向に対向する突起（prong）を有することができる。電気信号コンタクト６１および電力コンタクト６３を有する電気コンタクト６０のマウンティング端部８２は、ハウジング本体５９の後部壁７８を通って延びることができる。
【００２６】
図４において例証されるように、それぞれのマウンティング端部８２は、それぞれギャップ９５をその間に画定する対向する突起９４を有することができ、さらに、電気コネクタ５６を第１のプリント配線回路用基板５２にマウントするときに、案内を提供することができるひだ付きの末端を表すことができる。
【００２７】
対向する突起９４は、上部および下部列のような、電気コネクタ５６が第１のプリント配線回路用基板にマウントされるときに、第１のプリント配線回路用基板に跨るように構成されており、第１および第２列内に配列することができる。
【００２８】
図２Ｂにおいて例証されるように、電気コネクタ５６が第１のプリント配線回路用基板５２に取り付けられているときに、対向する突起９４は、回路基板５２のリーディングエッジ９０に跨り、それはギャップ９５内に挿入される。
【００２９】
接触パッド８６は、頂面９６および／または第１のプリント配線回路用基板５２の最下段表面９８に配置され、電気的に、電気コンタクト６０の個々のものに接続するように寸法取りすることができるか、電気的に電気コンタクト６０の２つ以上に接続するために寸法取りすることができる。例えば、例証された実施例にしたがって、１つまたはそれ以上の導体パッド８６のすべてまで、電気的に、電気信号コンタクト６１の個々のものに接続するために、寸法取りすることができる。さらに、例証された実施例にしたがって、電気的に、電力コンタクト６３の個々のものに接続するように１つまたはそれ以上すべての導体パッド８６にまで、寸法取りすることができることは認識されるべきであるが、１つまたはそれ以上は、電気的に、電力コンタクト６３の２つ以上に接続するために、導体パッド８６のすべてにまで寸法取りすることができる。したがって、電気コネクタ５６が第１のプリント配線回路用基板５２に取り付けられているときに、電気コンタクト６０のうちのマウント端部８２は、第１のプリント配線回路用基板５２のうちの頂面９６および最下面９８をはさむことができ、さらには、電気コンタクト６０から電気にコンタクトパッド８６および第１のプリント配線回路用基板５２によって伴なわれるそれぞれの電気トレースまで、電気的に導通通路を確立することができる。
【００３０】
電気コネクタ５６は、電気コンタクト６０が、導体パッド８６と係合するまで、電気コネクタ５６のマウンティングインターフェース６２が回路基板５２のリーディングエッジ９０を受けるようなコネクタ５６および縦の挿入方向に沿った回路基板５２の少なくとも一方の上の相対的な縦の運動を与えることにより、第１のプリント配線回路用基板５２に取り付けることができる。その後、電気コンタクト６０は、恒久的に第１のプリント配線回路用基板５２を電気コネクタ５６に固定するように望まれるようにコンタクトパッド８６にはんだ接合することができる。この点では、第１のプリント配線回路用基板５２は、ホストボードと呼ぶことができる。
【００３１】
図４および６において例証されるように、コネクタハウジング５８は、マウンティング端部６２で信号コンタクト６１と電力コンタクト６３との間の横方向の位置で上部エッジ７２とより下部エッジ７４との間に横方向に延びる分極壁１０１の形で分極部材を有することができる。分極壁１０１は、ハウジング本体５９の横方向に中央の位置に関して位置オフセットでこのように配置される。第１のプリント配線回路用基板５２は、リーディングエッジ９０から縦に中へ延びて、分極壁１０１を受けるように寸法取りされるスロット１０９（図２Ｂを参照）を画定することができ、それによって、第１のプリント配線回路用基板５２が電気コネクタ５６に対する接続のために適切に方位付けすることを、保証する。特に、電気コネクタ５６が第１のプリント配線回路用基板５２にマウントされるときに、信号コンタクト６１と係合するように構成される電気パッド８６は、信号コンタクト６１と係合し、また、電気コネクタ５６が第１のプリント配線回路用基板５２にマウントされるときに、電力コンタクト６３を実際係合するように構成される電気パッド８６は、電力コンタクト６３と係合する。
【００３２】
さらに、分極壁１０１は、対向する上部および下部部分として例証されて、対向する外方部分１０３と、さらに、対向する外方部分１０３間に配置された中間部分１０５とを有することができる。対向する外方部分１０３は、中間部分１０５より大きな横方向の厚さを有することができる。例えば、対向する外方部分１０３の横方向の厚さは、リーディングエッジ９０内に延びスロット１０９のそれより大きくなり得る。中間部分１０５の横方向の厚さは、中間部分１０５がスロット１０９内に受けられるように構成されるように、スロット１０９のそれとほぼ等しいか、またはそれより小さく寸法取りされる。中間部分１０５は、第１のプリント配線回路用基板５２は、コンタクトパッド８６および電気コンタクト６０の係合を容易にするように上部および下部部分１０３の間でほぼ補足することができるように第１のプリント配線回路用基板５２のそれと等しい横断寸法、または高さを画定することができる。
【００３３】
中間部分１０５は、電気コンタクト６０のマウンティング端部８２の突起９４間のギャップ９５と整列される。したがって、分極壁１０１の中間部分１０５は、電気コネクタ５６が第１のプリント配線回路用基板５２にマウントされるときに、電気コンタクト６０で第１のプリント配線回路用基板５２を適切に整列させる整列ガイドを提供する。この点では、第１のプリント配線回路用基板５２が、電気コネクタ５６の分極部材および整列ガイドを係合するように構成される補完的な分極部材および整列ガイドを有することは認識されるべきである。例証された実施例にしたがって、第１のプリント配線回路用基板５２の分極部材および整列ガイドは、リーディングエッジ９０内に縦に延びるスロット１０９によって提供される。しかしながら、電気コネクタ５６および第１のプリント配線回路用基板５２の両方の分極部材および整列ガイドは、二者択一で、もし望まれれば相互とは別に離間して配置される２つの別部材として提供することができる。
【００３４】
図２Ｂおよび３を再び参照して、電気コネクタ５６が第１のプリント配線回路用基板５２にマウントされる前、または後に、第２のプリント配線回路用基板５４のようなエッジカードは、除去可能に電気コネクタ５６と結合することができる。特に、電気コネクタ５６は、電気コンタクト６０がコンタクトパッド８８と係合するまで、電気コネクタ５６の結合するインターフェース６４が、縦の挿入方向に沿った第２のプリント配線回路用基板５４のリーディングエッジ９１を受けるように、この電気コネクタ５６および第２の回路基板５４の少なくとも一方において相対的な縦の運動を与えることによって、第２のプリント配線回路用基板５４に取り付けることができる。
【００３５】
コネクタハウジング５８は、結合する端部６４で信号コンタクト６１と電力コンタクト６３との間の横方向の位置で上部エッジ７２と下部エッジ７４との間の横方向に延びる分極壁１１５の形で、第２の分極部材を有することができる。この分極壁１１５は、このように、ハウジング本体５９の横方向中央位置に関して位置オフセットで配置される。第２のプリント配線回路用基板５４は、リーディングエッジ９１から中に延びて、分極壁１１５を受けるように寸法取りされるスロット１１１を画定することができ、それによって、第２のプリント配線回路用基板５４が電気コネクタ５６に対する接続のために適切に方位付けされることを、保証する。特に、電気コネクタ５６が第２のプリント配線回路用基板５４と結合するときは、電気パッド８８の選択したものは、信号コンタクト６１と係合することができ、さらに、電気パッド８８の選択したものは、電力コンタクト６３と係合することができる。
【００３６】
認識されるべきことは、第２のプリント配線回路用基板５４を電気コネクタ５６に結合するときは、この第２のプリント配線回路用基板５４のリーディングエッジ９１とハウジング本体５９のチャンバ７６との間の角度または指向性の不良位置合せが、電気コンタクト６０に応力を加える適用するかもしれないときに、それは、次には電気コンタクト６０と第１のプリント配線回路用基板５２の電気パッド８６との間の半田接続に応力を加えるものであることである。
【００３７】
例えば、第２のプリント配線回路用基板５４がチャンバ７６に挿入されるとともに、第２のプリント配線回路用基板５４がコネクタハウジング５８と誤って調整されるときに、挿入力は、電気コンタクト６０、およびしたがって第１のプリント配線回路用基板５２のコンタクトパッド８６に電気コンタクト６０を取り付ける半田接続に変換することができる。
【００３８】
したがって、上述されたように、従来の跨ぐマウントコネクタは、それは結合する力が第１のプリント配線回路用基板２４に関して移動に電気コネクタ２２にバイアスをかけるのを防ぐようにコネクタハウジング５８（図１を参照）に対する第１のプリント配線回路用基板２４を固定する１対のマウント耳部４４を有し、それは、電気コンタクト３２と第１のプリント配線回路用基板５２のコンタクトパッドとの間の半田接続の完全に影響するかもしれない。しかしながら、マウンティング耳部４４は、第１のプリント配線回路用基板２４上の価値のある領域を占有する。さらに、電気信号コンタクト６１が電力コンタクト６３より薄いので、結合する応力が、電力コンタクト６３と第１のプリント配線回路用基板５２のコンタクトパッド８６との間の半田接続と比較して、電気信号コンタクト６１と第１のプリント配線回路用基板５２の導体パッド８６との間の半田接続の完全性に影響する可能性がありそうであることは認識される。
【００３９】
したがって、図２Ａおよび９Ｂにおいて例証されたように、電気コネクタ５６のコネクタハウジング５８は、コネクタ本体５９、およびしたがってコネクタハウジング５８、およびしたがって電気コネクタ５６を第１のプリント配線回路用基板５２に固定するように構成されるただ１つのマウンティングファスナ１０７を有する。例えば、マウンティングファスナ１０７は、コンタクトパッド８６から（例えば横方向に）例えば間隔を置いて、コンタクトパッド８６から遠隔位置でコネクタ本体５９を第１のプリント配線回路用基板５２に固定するように構成される。例証された実施例にしたがって、マウンティングファスナ１０７は、コンタクトパッド８６から間隔をおいて配置された位置でコネクタ本体５９を第１のプリント配線回路用基板５２に対して固定するように構成されるコネクタハウジング５８の唯一のマウンティングファスナである。例えば、マウンティングファスナ１０７は、挿入方向を含む長手方向、およびさらに横方向および横断方向に沿った、第１のプリント配線回路用基板５２とコネクタハウジング５８との間の相対的運動を防ぐように、コネクタハウジング５８を第１のプリント配線回路用基板５２に対して固定するように構成される。
【００４０】
したがって、第１のプリント配線回路用基板５２が延びる平面と平行な方向に沿った、縦および横方向によって画定することができるが、第１のプリント配線回路用基板５２とコネクタハウジング５８との間の相対的運動を防ぐようにコネクタハウジング５８を第１のプリント配線回路用基板５２に固定するように、マウンティングファスナ１０７が構成されることは言うことができるかもしれない。したがって、マウンティングファスナ１０７は、例えば第２のプリント配線回路用基板５４のリーディングエッジ９１とコネクタハウジング５８との間の角度または指向性の不良位置合せによって、第２のプリント配線回路用基板５４が電気コネクタ５６と結合するとともに、生成される力を吸収するようにコネクタハウジング５８を第１のプリント配線回路用基板５２に確実に、固定するように構成される。コネクタハウジング５８と第１のプリント配線回路用基板５８との間の接続による生成された力の吸収は、電気信号コンタクト６１に加えられた力を減少する。
【００４１】
マウンティングファスナ１０７は、ハウジング本体５９のサイド壁のうちの唯一のもの横方向に延びるマウンティング耳部１００として構成することができる。例証されるように、マウンティング耳部１００は、電気信号コンタクト６１に隣接する位置に、コネクタハウジング５８を第１のプリント配線回路用基板５２に確実に固定するように、電気信号コンタクト６１に隣接するサイド壁７０に隣接して配置される。例えば、マウンティング耳部１００は、サイド壁７０に関して横方向に外に延び、さらに電気信号コンタクト６１が、このマウンティング耳部１００と電力コンタクト６３との間で横方向に配置されるように、この電気信号コンタクト６１に隣接して配置される。例証される実施例にしたがって、電気コネクタ５６は、電力コンタクト６３に隣接して配置されるサイド壁７１に隣接しているマウンティング耳部を欠いている。したがって、電力コンタクト６３は、電気信号コンタクト６１と、電気コネクタ５６を第１のプリント配線回路用基板５２に固定するように構成されるマウンティングファスナとの間で横方向に配置されない。
【００４２】
したがって、電気コネクタ５６は、電気信号により接近して配置されるマウンティングファスナ１０７を有し、１）カードエッジコネクタを第１の基板に対して固定するように構成され、２）電気信号コンタクト６１よりも電力コンタクト６３により接近して配置される、第２のマウンティングファスナを欠いている。
【００４３】
実施例にしたがって、図２Ａ−４において例証されるように、マウンティング耳部１００は、本体１０２を有しており、本体１０２を介して延びるマウンティング開口１０４を画定する。第１のプリント配線回路用基板５２は、マウンティング開口１０４と整列する第１の補完的なマウンティング開口１１３（図２Ｂを参照）を有することができ、電気コネクタ５６が、ボルトのような取付部材５５がマウンティング開口１０４および１１３を介して延びることができるような第１のプリント配線回路用基板５２にマウントされ、ナット５７がしっかりと第１のプリント配線回路用基板５２に対してハウジング５８を固定するようにボルトに締付けることができるときには、それは第２のマウンティング開口を画定することができる。本体１０２は、例証されるような第１のプリント配線回路用基板５２の頂面９６に接するように構成することができるか、または電気コネクタ５６が第１のプリント配線回路用基板５２にマウントされるときに、望まれるような第１のプリント配線回路用基板５２の下部表面９８に接するように二者択一で構成することができる。
【００４４】
第２のプリント配線回路用基板５４として生成された力を吸収するように、第１のプリント配線回路用基板５２をコネクタハウジング５８に対して固定するように構成されるあらゆる適切な他の実施例にしたがって構成することができる、マウンティングファスナ１０７が、電気コネクタ５６に結合することは、認識されるべきである。例えば、マウンティングファスナ１０７は、第１のプリント配線回路用基板５２に対して、マウンティングファスナ１０７を固定するように構成された取付部材を画定するラッチ部材、およびしたがって電気コネクタを有することができる。例えば、図１０において例証されるように、マウンティング耳部１１０は、弾力があり得て、支持表面１３０によって伴なうことができる支持表面１３０およびラッチ部材１３２を有することができる。
【００４５】
ラッチ部材１３２は、第１のプリント配線回路用基板５２の補完的な係合部材を備えたインターロックに形成される。例えば、ラッチ部材１３２は、電気コネクタ５６を第１のプリント配線回路用基板５２に対して固定するように、マウンティング開口１１３に延びるように構成される。さらに、図１０において例証されるように、コネクタハウジング５８は、図４において例証されるような分極壁１０１が欠けているかもしれない。
【００４６】
ラッチ部材１３２は、それぞれ、近接端でのマウンティング耳部１１０に接続される柔軟なラッチアーム１３４を有し、ポスト１３６として例証されるが、フックのような望まれるようなあらゆる適切な二者択一の構成を有することができるラッチ体を伴なう対向する末端の自由端を画定する。したがって、コネクタハウジング５８によってポスト１３６のようなラッチ体が支持されるか伴なわれることは言うことができる。マウンティング耳部１１０は、ラッチアーム１３４およびポスト１３６が、開口１３３に少なくとも部分的に配置することができるように、それを通って延びる横断方向の開口１３３を画定する。ラッチアーム１３４は、第１のプリント配線回路用基板５２に対する挿入の方向に関して、マウンティング耳部１１０のリーディングエッジにマウントすることができ、望まれるように開口１３３内に、およびその開口から柔軟になり得る。
【００４７】
したがって、ラッチアーム１３４は、ポスト１３６のようなラッチ体を伴なう末端の自由端が、その挿入方向と反対である方向に沿った基端部と対向して配置されるように、第１のプリント配線回路用基板５２に対する電気コネクタ５６の挿入方向に対向する方向に沿って延びる。例証された実施例にしたがって、ポスト１３６は、ほぼ円筒状で、例えば、末端の由端でラッチアーム１３４から上昇して延び、さらに係合を定義する、に第１のプリント配線回路用基板５２の下部表面９８に沿って乗るように構成される上部の係合表面を画定することができる係合表面１３８を画定する。係合表面１３８は、この係合表面１３８のリーディングエッジが第１のプリント配線回路用基板５２に対する挿入の方向に関して係合表面１３８の後縁以下に配置されるように、傾斜をつけることができる。他の点では述べたように、係合表面１３８は、後縁からリーディングエッジに向かう方向に沿って、横方向に内方に、または下方に傾斜する。
【００４８】
［００４４］  係合表面１３８は、第１のプリント配線回路用基板５２に対する挿入方向に沿った、リーディングエッジおよび対向する後縁を画定することは言えるかもしれない。係合表面１３８は、例証されるような挿入方向に沿って、傾斜することができる。したがって、電気コネクタ５６が、第１のプリント配線回路用基板５２にマウントされる前に、電気コネクタ５６を第１のプリント配線回路用基板５２（例えばより低い表面９８）に対してマウントするときに、係合表面１３８のリーディングエッジは、係合表面１３８が乗る第１のプリント配線回路用基板５２の表面によって画定された平面の第１の側面に配置され、さらに係合表面１３８の後縁が第２の対向側面に配置される。例えば、係合表面１３８の終縁が、より低い表面９８によって画定された平面の対向側面に配置されるゆえに、係合表面１３８のリーディングエッジは、第１のプリント配線回路用基板５２のより低い表面９８によって画定された平面の同じ側に配置される。電気コネクタ５６が第１のプリント配線回路用基板５２にマウントされながら、第１のプリント配線回路用基板５２によって係合表面１３８の終縁は、その平面の第１の側に対する側を横切ってバイアスがかけられる。それは、平面（例えば、より低い表面９８）を画定する第１のプリント配線回路用基板５２の表面に沿って終縁が乗るほどのものである。望まれるような第１のプリント配線回路用基板５２の頂面９６によって二者択一で平面を画定することができることが、認識されるべきである。ハウジング本体５９は、さらに、第１のプリント配線回路用基板５２のリーディングエッジ９０を受けるように寸法取りされた横断方向の寸法を有する分類する支持凹部１４０を画定することができる。
【００４９】
操作中に、電気コネクタ５６が第１のプリント配線回路用基板５２にマウントされるときには、ラッチ耳部１１０の支持表面１３０は、ほぼ水平であることができ、さらに第１のプリント配線回路用基板５２の下部表面９８に当接する。圧力が、上方、または下方向に、ポスト１３６に加えられるときに、ラッチアーム１３４は、柔軟で弾力があることができる。したがって、ラッチ部材１３２、および、特には、ラッチアーム１３４は、間に屈曲することができる、１つの、緩められた、または曲げられない位置と曲げられた位置との間を柔軟であることができ、それによって、ポスト１３６は、ラッチアーム１３４が屈曲しながら、横方向に下方に置き換えられる。ラッチ部材１３２が弛緩位置にあるときは、ラッチ部材１３２、およびまたはポスト１３６の一部分は、支持表面１３０上に配置することができる。例えば、ラッチ部材１３２が弛緩位置にあるときには、係合表面１３８の第２の後縁部分は支持表面１３０上に配置することができる一方、係合表面１３８の第１のリーディング部分は支持表面１３０以下に配置することができる。したがって、ラッチ部材１３２がその弛緩位置にあるときは、第１のプリント配線回路用基板５２が、電気コンタクト６０の突起９４間のギャップ９５と整列するときに、係合表面１３８の少なくとも１つの部分は、第１のプリント配線回路用基板５２の下部表面９８上に配置される。
【００５０】
バイアスをかける力が、下方方向ににポスト１３６に加えられるときには、例えば、ラッチ部材１３２、そして特には、ラッチアーム１３４は、曲げられた位置に繰り返し、それによって、ポスト１３６、およびしたがって係合表面１３８は、横方向に弛緩位置に関して凹部に置き換えられる。例えば、曲げられた位置において、終縁を有する係合表面１３８のほぼ全体が、ほぼ平面であり、およびまたは、ラッチ耳部１１０の支持表面１３０、およびしたがって電気コネクタ２００が第１のプリント配線回路用基板５２にマウントされながら、第１のプリント配線回路用基板５２のうちの下部表面９８以下に配置される。他の点で述べたが、ラッチ部材１３２が曲げられた位置にあるときは、終縁を有する係合表面１３８のほぼ全体は、横断方向の開口１３３に配置され、かつラッチ耳１１０の支持表面１３０上には延びない。バイアスをかける力が解放されるときには、バイアスは、上方へ屈曲するためにラッチアーム１３４にかけられ、それによって、ラッチ部材１３２がニュートラルポジションにあるときに、第１のプリント配線回路用基板５２の開口１１３中のその固定された位置にポスト１３６を強制するポスト１３６にバイアスをかける力を加える。したがって、ラッチ部材１３２は、第１のプリント配線回路用基板５２の平面を画定する、横方向および縦方向に沿った電気コネクタ５６に比べて第１のプリント配線回路用基板５２が変換するのを防ぐ。さらに、支持凹部１４０は、ハウジング本体５９は、第１のプリント配線回路用基板によって画定された平面にほぼ垂直な横断方向に沿った電気コネクタ５６に比較して第１のプリント配線回路用基板５２のリーディングエッジ９８が変換するのを防ぐように、寸法取りされる。ラッチ部材は、さらに、２０１０年１２月１４日に出願された米国特許出願番号１２／９６７，３６４に記述されており、その記述は、あたかもその全体においてここに記述されるかのように、その開示は参照によってここに組込まれる。
【００５１】
電気コネクタ５６は、サイド壁７０および７１のうちの１つに隣接して配置することができるようにマウンティングファスナ１０７を有することができ、さらに、サイド壁７０および７１の対向する他のものに隣接して配置されるマウンティングガイド１１０を有することができる。例えば、マウンティングガイド１１０は、マウンティングファスナ１０７に隣接して配置されるサイド壁７０に対向するサイド壁７１によって伴なわれることができる。マウンティングガイド１１０は、マウンティングファスナ１０７を伴なうサイド壁７０に対向する、サイド壁７１のようなサイド壁の唯一のものの横方向の内部表面１１４によって伴なわれ、かつ画定されるチャネル１１２を有する。チャネル１１２は、挿入方向にほぼ平行な方向に沿って、縦方向に細長く、さらにサイド壁７１の内部表面１１４内に横方向に延びる。チャネル１１２は、頂面９６および底部表面９８のそれぞれの部分が、チャネル１１２内に捕捉することができるように、第１のプリント配線回路用基板５２のそれとほぼ等しい横断方向寸法、または高さを有する。マウンティングガイド１１０は、電気コネクタ５６が第１のプリント配線回路用基板５２にマウントされるとともに、電気コンタクト６０のギャップ９５に対する第１のプリント配線回路用基板５２の挿入をガイドするように、このように構成される。
【００５２】
チャネル１１２の横断方向寸法、または高さは、電気コンタクト６０の対向する突起９４間のギャップ９５の横断方向寸法、または高さとほぼ等しいか、またはそれ以上であり得る。したがって、ギャップ９５を介して延びる横方向に延びるラインのような直線は、さらにチャネル１１２および１１３内に延びることができる。さらに、チャネル１１２および１１３内に延びる、横方向に延びるラインのような直線は、第１および第２列の電気コンタクト６０の１つまたは両方に、例えば突起９４のすべてまでの少なくとも１つと交差することができる。さらに、チャネル１１２は、マウンティングファスナ１０７のマウンティング開口１０４が第１のプリント配線回路用基板５２の対応する開口１１３と整列するときに、第１のプリント配線回路用基板５２は、ほぼチャネル１１２で捕捉することができるように、内部表面１１４における横方向の深さを画定する。
【００５３】
第１のプリント配線回路用基板５２は、第１のプリント配線回路用基板５２の側面エッジ５３が、チャネル１１２内に捕捉されることができ、その側面エッジ５１がマウンティング開口１１３に近接して配置されるように、（例えば、側面エッジ５３がマウンティング開口１１３から間隔をもって配置される距離だけ、マウンティング開口１１３から離間して）横方向に対向する側面エッジ５１および５３を有することができる。チャネル１１２は、このチャネル１１２においてエッジ５３を受けることができるが、充分に小さくなり得るように、第１のプリント配線回路用基板５２のそれよりわずかに大きい横断方向の高さを有することができ、第２のプリント配線回路用基板５４と電気コネクタ５６との間の結合する力は、第１のプリント配線回路用基板５２に関して実質的な移動に電気コネクタ５６にバイアスをかけることを防ぐことができ、移動が電気コンタクト６０とコンタクトパッド８６との間の半田接続を割る傾向があり得、または、そうでなければ、電気コンタクト６０とコンタクトパッド８６との間の半田接続の完全性を危険に晒す可能性がある。チャネル１１２は、確実に側面エッジ５３をそこに捕捉することが望まれるような長手方向長さを有することができ、それは、チャネル１１２内の上下方向の移動に関して側面エッジ面５３が充分に制限されるほどのものである。チャネル１１２は、横方向に、電気コネクタ５６の分極壁１０１の中間部分１０５と整列されることができるときには、それによって、電気コネクタ５６が第１のプリント配線回路用基板５２にマウントされるときに、電気コンタクト６０のギャップ９５内へのリーディングエッジ９０の挿入をさらに容易にする。チャネル１１２は、内部表面１１４内に横方向に延びる凹部として画定されるか、または、二者択一で内部表面１１４から横方向に内部に延びる、１対の横方向に間隔を置いた突出部間で画定することができる。
【００５４】
電気コネクタ５６が、ハウジング本体５９の側面から横方向外方に突出する唯一のマウンティングファスナ１０７を有しているので、電気コネクタ５６は、従来の跨ぐマウンティングコネクタに関して縮小された横方向の寸法次元を画定することができ、図１において例証されたコネクタ２２のようなハウジング本体の両側面から外方に延びる１対のマウンティングファスナ１０７を有する。したがって、コネクタ５６が、図１において例証された電気コネクタ２２に関して、第１のプリント配線回路用基板上にマウントされるときに、電気コネクタ５６は、第１のプリント配線回路用基板５２上のより少ないスペースを占有する。同時に、マウンティングファスナ１０７は、電力コンタクト６３よりも薄い電気信号コンタクト６１に近接して配置される。すなわち、マウンティングファスナ１０７は、電力コンタクト６３よりも電気信号コンタクト６１に接近して配置される。さらに、第１のサイド壁７０は、電力コンタクト６３よりも電気信号コンタクト６１により接近して間隔をおいて配置される。
【００５５】
例証された実施例に関して記述された実施例は、実例経由で開示され、そして、したがって、この発明は、開示された実施例に限定されるようには意図されていない。さらに、それぞれの上述された実施例の構造および特徴は、もし他の方法で示されなかったならば、ここに記述された他の実施例に適用することができる。したがって、技術に熟練している人々は、例えばこの発明が付随した請求項によって述べられるように、この発明の精神および範囲内に含まれる修正および代替準備をすべて包含するように意図されることを理解するであろう。
【図１】
0003169821.tif 000003
【図２Ａ】
0003169821.tif 000004
【図２Ｂ】
0003169821.tif 000005
【図３】
0003169821.tif 000006
【図４】
0003169821.tif 000007
【図５】
0003169821.tif 000008
【図６】
0003169821.tif 000009
【図７】
0003169821.tif 000010
【図８】
0003169821.tif 000011
【図９Ａ】
0003169821.tif 000012
【図９Ｂ】
0003169821.tif 000013
【図１０】
0003169821.tif 000014
【手続補正書】
【提出日】平成23年7月7日(2011.7.7)
【手続補正１】
【補正対象書類名】明細書
【補正対象項目名】０００３
【補正方法】変更
【補正の内容】
【０００３】
図１を参照して、例えば、一例の従来の電気組立体２０は、第１の回路基板２４と第２の回路基板２６との間を接続しているカードエッジコネクタ２２を有する。カードエッジコネクタ２２は、第１のプリント配線回路用基板２４のエッジのトレースと第２のプリント配線回路用基板２６のエッジのトレースとの間の電気導通通路を備える、跨ぐマウントスタイルのカードエッジコネクタとして例証され、これは第１のプリント配線回路用基板２４を備えた共通平面であるように例証される。そのような配位は、１Ｕラックマウントサーバのような包囲物内における電気組立体用に好適であることができる。
【手続補正２】
【補正対象書類名】明細書
【補正対象項目名】００４７
【補正方法】変更
【補正の内容】
【００４７】
したがって、ラッチアーム１３４は、ポスト１３６のようなラッチ体を伴なう末端の自由端が、その挿入方向と反対である方向に沿った基端部と対向して配置されるように、第１のプリント配線回路用基板５２に対する電気コネクタ５６の挿入方向に対向する方向に沿って延びる。例証された実施例にしたがって、ポスト１３６は、ほぼ円筒状で、例えば、末端の自由端でラッチアーム１３４から上昇して延び、さらに、第１のプリント配線回路用基板５２の下部表面９８に沿って乗るように構成される上部の係合表面を画定することができる係合表面１３８を画定する。係合表面１３８は、この係合表面１３８のリーディングエッジが第１のプリント配線回路用基板５２に対する挿入の方向に関して係合表面１３８の後縁以下に配置されるように、傾斜をつけることができる。他の点では述べたように、係合表面１３８は、後縁からリーディングエッジに向かう方向に沿って、横方向に内方に、または下方に傾斜する。
【手続補正３】
【補正対象書類名】明細書
【補正対象項目名】００４８
【補正方法】変更
【補正の内容】
【００４８】
係合表面１３８は、第１のプリント配線回路用基板５２に対する挿入方向に沿った、リーディングエッジおよび対向する後縁を画定することは言えるかもしれない。係合表面１３８は、例証されるような挿入方向に沿って、傾斜することができる。したがって、電気コネクタ５６が、第１のプリント配線回路用基板５２にマウントされる前に、電気コネクタ５６を第１のプリント配線回路用基板５２（例えばより低い表面９８）に対してマウントするときに、係合表面１３８のリーディングエッジは、係合表面１３８が乗る第１のプリント配線回路用基板５２の表面によって画定された平面の第１の側面に配置され、さらに係合表面１３８の後縁が第２の対向側面に配置される。例えば、係合表面１３８の終縁が、より低い表面９８によって画定された平面の対向側面に配置されるゆえに、係合表面１３８のリーディングエッジは、第１のプリント配線回路用基板５２のより低い表面９８によって画定された平面の同じ側に配置される。電気コネクタ５６が第１のプリント配線回路用基板５２にマウントされながら、第１のプリント配線回路用基板５２によって係合表面１３８の終縁は、その平面の第１の側に対する側を横切ってバイアスがかけられる。それは、平面（例えば、より低い表面９８）を画定する第１のプリント配線回路用基板５２の表面に沿って終縁が乗るほどのものである。望まれるような第１のプリント配線回路用基板５２の頂面９６によって二者択一で平面を画定することができることが、認識されるべきである。ハウジング本体５９は、さらに、第１のプリント配線回路用基板５２のリーディングエッジ９０を受けるように寸法取りされた横断方向の寸法を有する支持凹部１４０を画定することができる。